(57)【要約】【課題】受信情報に含まれるメールアドレスや電話番号をアドレス帳へ登録しようとする場合、多くの受信情報の中から登録したいメールアドレスや電話番号を含む受信情報を探す操作や、所望の受信情報から登録したい電話番号やメールアドレスを探す操作が必要となる。【解決手段】  上記した課題を解決するため本発明では、受信情報に含まれる電話番号及び／またはメールアドレスが、アドレス帳に記憶されたメールアドレス及び／または電話番号と一致するか否かを判断し、一致すると判断したときは電話番号及び／またはメールアドレスを第１の表示態様にて表示し、一致しないと判断したときは電話番号及び／またはメールアドレスは第２の表示態様にて表示して、さらに、一致しないと判断されたメールアドレス及び／または電話番号はアドレス帳へ登録するか否かを確認する通知を行うことを特徴とする携帯電話機を提供する。【選択図】図１０
2011250134.tif 000002
【特許請求の範囲】
【請求項１】
少なくとも電話番号及び／またはメールアドレスを記憶する記憶部と、
電話番号及び／またはメールアドレスを前記記憶部に記憶するか否かの確認の通知を行う通知部と、
メールを受信する受信部と、
前記受信部で受信したメールを表示する表示部と、
前記受信部で受信したメールに含まれる電話番号及び／またはメールアドレスを検索する検索部と、
前記検索部が検索した電話番号及び／またはメールアドレスが、前記記憶部に記憶されたメールアドレス及び／または電話番号と一致するか否かを判断する判断部とを備え、
前記表示部は、前記判断部で一致すると判断された電話番号及び／またはメールアドレスを第１の表示態様にて表示し、前記判断部で一致しないと判断された電話番号及び／またはメールアドレスを第２の表示態様にて表示して、
前記通知部は、前記判断部が一致しないと判断した電話番号及び／またはメールアドレスを、前記記憶部に記憶するか否かの確認の通知を行う、
ことを特徴とする携帯電話機。
【請求項２】
前記通知部は、前記判断部が一致しないと判断した電話番号及び／またはメールアドレスを、前記記憶部に記憶するか否かを確認する通知を前記表示部に表示することによって通知することを特徴とする請求項１記載の携帯電話機。
【請求項３】
前記記憶部はさらに、電話番号及び／またはメールアドレスと氏名を関連づけて記憶しており、
前記表示部における第１の表示態様は、電話番号及び／またはメールアドレスに関連する氏名を表示することを特徴とする請求項１記載の携帯電話機。
【請求項４】
前記表示部における前記第２の表示態様は、前記判断部で一致しないと判断された電話番号及び／またはメールアドレスを、該メールの本文と異なる文字サイズ及び／または文字色で表示することを特徴とする請求項１記載の携帯電話機。
【発明の詳細な説明】
【技術分野】
【０００１】
本発明は、アドレス帳を備えた携帯電話機に関する発明である。
【背景技術】
【０００２】
近年、普及している携帯電話機は、アドレス帳に登録されたメールアドレスに基づいてメール送信が可能である。ユーザーがアドレス帳へメールアドレスを登録する方法には、ユーザーが直接入力するほか、メールの受信及び送信履歴、受信情報に記載されているメールアドレスをもとに登録する方法などがある。
【０００３】
しかし、受信情報に含まれるメールアドレスをアドレス帳へ登録しようとする場合、多くの受信情報の中から必要なメールアドレスを含む情報を探す操作や、受信情報の中から未登録のメールアドレスを探す操作が必要となる。
【０００４】
特許文献には、受信したメールの本文中に含まれるメールアドレスや電話番号を容易にアドレス帳へ登録する技術が記載されている。具体的には、本文献には、受信したメールの本文に含まれるメールアドレスや電話番号の文字色を反転して表示させることで、ユーザーが本文に含まれるメールアドレスや電話番号を容易に発見することができる技術が記載されている。
【先行技術文献】
【特許文献】
【０００５】
【特許文献１】特開２００３−８７２８公報
【発明の概要】
【発明が解決しようとする課題】
【０００６】
しかしながら、特許文献に係る発明では、受信メールの本文に含まれるメールアドレスや電話番号が、アドレス帳へ未登録または既登録であるか否かにかかわらず常に色を反転して表示する。そのため、ユーザーは、所望のメールアドレスや電話番号をアドレス帳へ登録しようとする場合、所望のメールアドレスや電話番号をアドレス帳に既登録であるか否かを確認する手間を強いられることになる。
【０００７】
本発明は上記した課題を解決するもので、その目的は、メールアドレスや電話番号をアドレス帳へ登録しようとする場合、受信情報に含まれるメールアドレスや電話番号を、未登録のものと既登録のものとで表示態様を変化させて表示して、未登録のものについてはアドレス帳へ登録するか否かを確認する通知を行う携帯電話機を提供することである。
【課題を解決するための手段】
【０００８】
上記した課題を解決する本発明の携帯電話機は、少なくとも電話番号及び／またはメールアドレスを記憶する記憶部と、電話番号及び／またはメールアドレスを前記記憶部に記憶するか否かの確認の通知を行う通知部と、メールを受信する受信部と、前記受信部で受信したメールを表示する表示部と、前記受信部で受信したメールに含まれる電話番号及び／またはメールアドレスを検索する検索部と、前記検索部が検索した電話番号及び／またはメールアドレスが、前記記憶部に記憶されたメールアドレス及び／または電話番号と一致するか否かを判断する判断部とを備え、前記表示部は、前記判断部で一致すると判断された電話番号及び／またはメールアドレスを第１の表示態様にて表示し、前記判断部で一致しないと判断された電話番号及び／またはメールアドレスを第２の表示態様にて表示して、前記通知部は、前記判断部が一致しないと判断した電話番号及び／またはメールアド
レスを、前記記憶部に記憶するか否かの確認の通知を行うことを特徴とする。
【０００９】
好ましくは、前記通知部は、前記判断部が一致しないと判断した電話番号及び／またはメールアドレスを、前記記憶部に記憶するか否かを確認する通知を前記表示部に表示することによって通知することを特徴とする。
【００１０】
好ましくは、前記記憶部はさらに、電話番号及び／またはメールアドレスと氏名を関連づけて記憶しており、前記表示部における第１の表示態様は、電話番号及び／またはメールアドレスに関連する氏名を表示することを特徴とする。
【００１１】
好ましくは、前記表示部における前記第２の表示態様は、前記判断部で一致しないと判断された電話番号及び／またはメールアドレスを、該メールの本文と異なる文字サイズ及び／または文字色で表示することを特徴とする。
【発明の効果】
【００１２】
本発明によれば、ユーザーが受信情報に含まれる所望の情報を記憶させる操作の、利便性を向上させる携帯電話機を提供することが可能となる。
【図面の簡単な説明】
【００１３】
【図１】本発明の実施の形態の一例を示す携帯電話機の外観斜視図。
【図２】本発明の実施の形態の一例を示す携帯電話機のブロック構成図。
【図３】本発明の実施の形態の一例を示す制御部の内部構成図。
【図４】本発明の実施の形態の一例を示す携帯電話機のメモリマップ。
【図５】本発明の実施の形態の一例を示すメール検索結果を示す図面。
【図６】本発明の実施の形態の一例を示すメール本文表示画面を示す図面。
【図７】本発明の実施の形態の一例を示す未登録発信先情報の通知画面を示す図面。
【図８】本発明の実施の形態の一例を示す発信先情報登録処理のフローチャート。
【図９】本発明の実施の形態の一例を示すメール本文表示処理のフローチャート。
【図１０】本発明の実施の形態の一例を示す未登録発信先情報処理２のフローチャート。
【発明を実施するための形態】
【００１４】
本発明の概要を説明する。本発明の携帯電話機は、メールに含まれるメールアドレスや電話番号をアドレス帳へ登録する場合、ユーザーがメール一覧より未登録のメールアドレスや電話番号を含む所望のメールの本文を表示する。その際、ユーザーが選択した受信メールに含まれるメールアドレスまたは電話番号が、アドレス帳に既に登録されているか否かを判断して、未登録のものと既登録のものとをそれぞれ異なる表示態様にて表示する。そして、携帯電話機は、未登録のメールアドレスまたは電話番号が含まれていた場合は、未登録のメールアドレスまたは電話番号をアドレス帳に登録するか否かの確認通知を表示する。
【００１５】
なお以下の説明では電話番号とメールアドレスをまとめて説明する場合には発信先情報と記載する。なお、以下で電話番号またはメールアドレスと記載する事項は、メールアドレス及び電話番号の両方を含む場合もある。
【００１６】
次に、図を用いて本発明の実施例について説明する。
〔構成〕
まず、図１〜図４を用いて本発明の実施の一例を示す携帯電話機１００の構成について説明する。
【００１７】
図１は、本発明の実施の一例である携帯電話機１００の外観斜視図である。携帯電話機１００の外観には、表示部１１０、操作部１２０、発光部１３０、スピーカ１４０、マイク１５０が備えられている。
【００１８】
図２は、本発明の実施の一例を示す携帯電話機１００のブロック構成図である。携帯電話機１００は、表示部１１０、操作部１２０、発光部１３０、スピーカ１４０、Ｄ／Ａコンバータ１４５、マイク１５０、Ａ／Ｄコンバータ１５５、振動部１６０、制御部１７０、ＲＯＭ１８０（ＲＥＡＤ  ＯＮＬＹ  ＭＥＭＯＲＹ）、ＲＡＭ１９０（ＲＡＮＤＯＭ  ＡＣＣＥＳＳ  ＭＥＭＯＲＹ）、Ｉ／Ｆ２００、外部メモリ２１０、撮影部２２０、近距離通信部２３０、無線回路２４０、アンテナ２５０によって構成されている。
【００１９】
表示部１１０は、携帯電話機１００に備えられた機能を実現するために必要な情報を表示する。必要な情報とは、例えば、機能メニュー、メール、アドレス帳、電話の着信履歴や発信履歴、メールの送信履歴や受信履歴、表示データフォルダに保存された情報、画像データなどを含む。表示部１１０は、例えば液晶ディスプレイ、有機ＥＬ（ＥＬＥＣＴＲＯ  ＬＵＭＩＮＥＳＣＥＮＣＥ）ディスプレイ、プラズマディスプレイ、電子ペーパーなどにより構成される。
【００２０】
操作部１２０は、ユーザーからの入力操作を受け付ける。受け付けられた入力操作は制御信号として制御部１７０に入力され、制御部１７０は制御信号に応じて携帯電話機１００に備えられた機能を実行する。
【００２１】
発光部１３０は、制御部１７０からの入力信号によって外部へ光を照射する機能を備える。発光部１３０は、例えば、ＬＥＤに代表される発光素子などにより構成される。発光部１３０は、電話着信、電話発信、メール受信、メール送信、音楽データ再生、アラーム日時到来などを、外部へ光を照射することによりユーザーへ報知する。
【００２２】
スピーカ１４０は、制御部１７０からの制御信号によって外部に音を出力する機能を有する。スピーカ１４０は、Ｄ／Ａコンバータ１４５を介して制御部１７０と接続されている。Ｄ／Ａコンバータ１４５は、制御部１７０から入力されたデジタル信号をアナログ信号に変換する。変換されたアナログ信号は、スピーカ１４０へと出力される。
【００２３】
マイク１５０は、音声などの外部からの音の入力を受け付ける機能を有する。入力された音は、アナログ信号としてＡ／Ｄコンバータ１５５に出力される。マイク１５０は、Ａ／Ｄコンバータ１５５を介して制御部１７０と接続されている。Ａ／Ｄコンバータ１５５は入力されたアナログ信号をデジタル信号へと変換して、制御部１７０へ出力する。
【００２４】
振動部１６０は、制御部１７０からの制御信号によって機械的振動を生じる。振動部１６０は、例えば、モーターなどから構成され、着信、メールの受信、アラーム日時到来などを機械的振動としてユーザーへ報知する。
【００２５】
制御部１７０は、携帯電話機１００に備えられたソフトウェアやハードウェアを制御する。例えば、制御部１７０は、操作部１２０ユーザーより受け付けた入力に基づいて、携帯電話機１００に備えられた各種機能を実行する。また、制御部１７０は、ＲＯＭ１８０やＲＡＭ１９０や外部メモリ２１０と協働して携帯電話機１００に記憶されたプログラムを実行する。
【００２６】
ＲＯＭ１８０は、携帯電話機１００に備えられた機能を実行するためのプログラムやデータなどを記憶する。制御部１７０は、ＲＯＭ１８０へアクセス可能であり、機能を実行するために必要なプログラムやデータなどを読み出す。
【００２７】
ＲＡＭ１９０は、制御部１７０からアクセス可能であり、制御部１７０の作業記憶領域やバッファ領域として利用される。
【００２８】
ここで、制御部１７０に備えられたプログラムを実行するための構成について図３を用いて説明する。図３には、携帯電話機１００に備えられたプログラムを実行するために制御部１７０に備えられた構成を示す。制御部１７０には、検索部３１０、判断部３２０、抽出部３３０、計数部３３０、メール本文表示処理部３４０、発信先情報登録処理部３５０などが備えられている。
【００２９】
検索部３１０は、本文中に発信先情報を含むメールを検索する。検索部３１０が行う本文中に発信先情報を含むメールの検索方法について説明する。発信先情報のうち、電話番号は、０から始まる３桁以上の数字または、３桁以上の数字に加えて「♯」（シャープ）、「＋」（プラス）、「＊」（星印）を含んだ文字列とする。これらの文字、記号の全角、及び、半角は問わないこととする。更に、電話番号中に「" "」（二重引用符）、「、
」（読点）、「.」（ピリオド）、「‐」（ハイフン）、「  」（空白）が含まれるとき
は、これらを電話番号と認識した後、上記した記号は削除され、発信可能な電話番号として検索の対象とされる。
【００３０】
メールアドレスは、半角の＠及び半角の＠の前後にある半角英数字記号の文字列全体、及び、半角＠の直前の改行、スペース、全角文字記号の次から半角＠の直後の改行、スペース、全角文字記号までをメールアドレスとして検索の対象とする。
【００３１】
判断部３２０は、操作部１２０がユーザーより受け付けた入力が携帯電話機に備えられたどの機能を実行するための入力であるかを判断する。入力としては、例えばメールの検索を実行する入力、メールフォルダを開くための入力、メール本文を表示するメールを選択する入力、発信先情報を後述するアドレス帳４５０へ登録する入力、電話発信を行う入力などがある。また、判断部３２０は、メール本文にアドレス帳に登録された氏名が含まれるか否かを判断する。さらに、判断部３２０は、検索部３１０が検索した発信先情報が、アドレス帳に既に登録されたものか未登録のものであるかを判断する。具体的には、判断部３２０は、メール本文に含まれ、アドレス帳に登録された発信先情報と一致しない発信先情報を、未登録の発信先情報と判断して、アドレス帳に登録された発信先情報と一致する発信先情報を、登録済みの発信先情報と判断する。
【００３２】
計数部３３０は、判断部３２０が判断したメール本文に含まれる既にアドレス帳に登録されている発信先情報の数と未登録の発信先情報の数を計数する。計数した結果は図５に示すように表示部１１０に表示される。図５に示すように、メールごとにアドレス帳４５０に未登録の発信先情報の数、既にアドレス帳４５０に登録されている発信先情報の数を一覧にして表示することによって、メール本文を開かなくともいくつの未登録情報が対象となるメールに含まれているかを知ることができる。また、メールの件名を表示することによって、ユーザーが探している未登録の発信先情報を含むメールの検索を容易にすることができる。
【００３３】
メール本文表示処理部３４０は、ＲＯＭ１８０に記憶されたメール本文表示プログラム４３０を実行する。メール本文表示プログラム４３０では、判断部３２０の判断に基づいて、登録済みの発信先情報と未登録の発信先情報とをそれぞれ異なった表示態様にて表示部１１０に表示する処理を行う。
【００３４】
図６（ａ）〜図６（ｃ）には検索部３１０が検索するメールの一例と、メール本文表示部３４０が行った処理の結果を示す。図６（ａ）は、既にアドレス帳４５０に登録された
メールアドレスを持つ相手先から送信されたメールの一例であり、本文に未登録発信先情報を含む。図６（ｂ）は、アドレス帳４５０に未登録のメールアドレスを持つ相手より送信されたメールの一例であり、本文に未登録発信先情報、及び、アドレス帳４５０に既に登録された電話番号を含む。図６（ｃ）は、アドレス帳４５０に未登録のメールアドレスを持つ相手より送信されたメールの一例であり、本文に未登録のメールアドレスを含む。
【００３５】
異なった表示態様とは、例えば図６（ａ）〜（ｃ）に示すように未登録の発信先情報を、画面の背景色を反転して表示する態様のほか、文字色、文字サイズ、文字フォントを本文と異なった態様で表示することとしてもよい。アドレス帳４５０に既に登録された発信先情報については、図６（ｂ）に示すようにポップアップにて表示することとしてもよいし、発信先情報をアドレス帳４５０に登録された氏名に置き換えて表示することとしてもよい。
なお、図６（ｂ）の電話番号を囲む枠は、ユーザーが選択している情報を示すための表示である。このように、発信先情報を本文と異なった表示態様にて表示することにより、ユーザーは本文に多数の文字が含まれる場合であっても未登録の発信先情報を容易に発見することができる。
【００３６】
発信先情報登録処理部３５０は、ＲＯＭ１８０に記憶された発信先情報登録プログラム４２０を実行する。発信先情報登録プログラム４２０では、後ほど説明する図８、または、図１０に示すような処理を実行する。
【００３７】
次にＲＯＭ１８０に記憶されている情報の配置（本実施例ではメモリマップ４００と呼ぶ）について図４を用いて説明する。メモリマップ４００はプログラム記憶領域４１０とデータ記憶領域４４０から構成される。まずプログラム記憶領域４１０に記憶されているプログラムについて説明する。プログラム記憶領域４１０には、発信先情報登録プログラム４２０、メール本文表示プログラム４３０などが含まれている。
【００３８】
発信先情報登録プログラム４２０には、受信したメールの中からアドレス帳４５０に未登録の発信先情報を含むメールを検索してユーザーが未登録の発信先情報を容易にアドレス帳４５０へ登録することを可能とするためのプログラムである。発信先情報登録プログラム４２０は発信先情報登録処理部３５０によって実行される。
【００３９】
メール本文表示プログラム４３０は、メールの本文を表示するためのプログラムである。メール本文表示プログラム４３０は、メール本文表示処理部３４０によって実行される。
【００４０】
次にデータ記憶領域４４０に記憶されているデータについて説明する。データ記憶領域４４０には、アドレス帳４５０、通知データ４６０などが含まれる。
【００４１】
アドレス帳４５０には、ユーザーによって入力された他の通信端末装置に電話発信やメール送信を行うために必要な情報が記憶されている。アドレス帳４５０に記憶される情報には、電話番号やメールアドレスの他に、電話番号やメールアドレスと関連付けて、氏名、メモリ番号、住所、誕生日、グループ（例えば学校や仕事先などの所属に関する情報）などが記憶される。
【００４２】
通知データ４６０には、メール本文に含まれる発信先情報がアドレス帳４５０に登録済みである旨をユーザーに通知するためのデータ、メール本文に含まれる発信先情報がアドレス帳４５０に未登録である旨をユーザーに通知するためのデータ、未登録の発信先情報をアドレス帳４５０に登録するか否かをユーザーに確認するための通知を行うデータなどが記憶されている。
【００４３】
図２の説明に戻る。Ｉ／Ｆ２００には、着脱可能な外部メモリ２１０が装着される。制御部１７０は、Ｉ／Ｆ２００を介して外部メモリ２１０へのアクセスが可能であり、例えば外部メモリ２１０に記憶されたプログラムやデータなどを読み出し実行する。外部メモリ２１０は、プログラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリ２１０から直接読み出し実行可能なプログラムに限られず、暗号化されたプログラム、圧縮処理されたプログラム、画像データ、音声データ、文章データなどが含まれる。
【００４４】
撮影部２２０は、カメラ機能やビデオ機能を備える。撮影部２２０は、例えば、ＣＣＤ（ＣＨＡＲＧＥ  ＣＯＵＰＬＥＤ  ＤＥＶＩＣＥ）カメラやＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより
構成される。なお撮影部２２０は、図１に示した携帯電話機１００の筐体裏面に備えられているため図１には図示していない。
【００４５】
近距離通信部２３０は、赤外線通信などの近距離無線通信を行う。近距離通信部２３０は、例えば、アドレス帳４５０に登録された発信先情報やデータフォルダに記憶された画像データを近距離にいる通信相手先と送受信する。
【００４６】
無線回路２４０は、アンテナ２５０から入力された所定の高周波信号に復調処理及び復号処理を施してデジタルの音声信号へ変換する。また、制御部１７０から入力されたデジタルの音声信号には符号化処理及び変調処理を施して、所定の高周波信号に変換する。そして、無線回路２４０は所定の高周波信号をアンテナ２５０へ出力する。
【００４７】
アンテナ２５０は、所定周波数の電磁波を受信して所定の高周波信号として無線回路２４０に出力する。また無線回路２４０より出力された所定の高周波信号を所定周波数の電磁波として出力する。
〔動作処理〕
次に図８〜図１０の説明を行う。図８〜図１０には、メモリマップ４００に記憶されたプログラムの処理の流れを示している。
【００４８】
はじめに、発信先情報登録処理１について、図８を用いて説明する。まず、発信先情報登録処理１の概要について説明する。発信先情報登録処理１は、メールフォルダに記憶された多数のメールより未登録の発信先情報を含むメールを検索して、ユーザーが未登録の発信先情報を容易に登録することができるようメール本文を表示する。そしてメール本文にアドレス帳４５０に未登録の発信先情報が含まれていた場合、未登録の発信先情報をアドレス帳４５０に登録するか否かの確認通知を表示する。以下に、発信先情報登録処理１の詳細な流れについて説明する。
【００４９】
発信先情報登録処理１では、まず、判断部３２０がユーザーの操作部１２０への入力が、検索部３１０にアドレス帳４５０に発信先情報を含むメールを検索する処理を実行させるための入力であるか否かを判断する（Ｓ１００）。判断部３２０が、メールを検索する処理を実行する入力でないと判断した場合は、メールを検索する処理を実行する入力があるまで待機する。
【００５０】
次に、メール本文表示処理部３４０は、アドレス帳４５０に未登録の発信先情報を含むメールをリストにして表示部１１０に表示する（Ｓ１１０）。表示の一例は図５に示す。
【００５１】
次に、判断部３２０はユーザーが操作部１２０によりメールを選択する操作を行ったか
否かを判断する（Ｓ１２０）。ユーザーからの操作がメールを選択する操作であった場合はＳ１３０の処理へ進む。それ以外の操作であった場合はメールを選択する操作が行われるまで待機する。
次に、メール本文表示部３４０が、ユーザーが選択したメールの本文を表示部１１０に表示する（Ｓ１３０）。
【００５２】
ここでＳ１３０にて実行されるメール本文表示処理について図９を用いて説明する。メール本文表示処理では、はじめに、ユーザーが操作部１２０の入力によって選択したメールの本文から、検索部３１０が、メールアドレスまたは電話番号を検索する（Ｓ２１０）。
【００５３】
次に、判断部３２０が検索したメールアドレスと電話番号が既にアドレス帳４５０へ登録されているメールアドレスまたは電話番号であるか否かを判断する（Ｓ２２０）。
【００５４】
Ｓ２２０において、アドレス帳４５０に登録された発信先情報でない、つまりアドレス帳４５０に未登録の発信先情報であると判断部３２０が判断した場合、メール本文表示処理部３４０が未登録の発信先情報を本文と異なった表示態様にて表示部１１０へ表示する（Ｓ２２５）。
【００５５】
一方、Ｓ２２０において、判断部３２０が、既にアドレス帳４５０に登録された発信先情報であると判断した場合、メール本文表示処理部３４０が通知データ４６０に記憶されたデータを読み出してアドレス帳４５０に登録済みであることを表示部１１０に表示する（Ｓ２３０）。表示の一例は図６（ｂ）に示す。このように、アドレス帳４５０に既に登録されている発信先情報と未登録の発信先情報を、それぞれ異なる表示態様にて表示部１１０に表示することにより、ユーザーがアドレス帳４５０に未登録の発信先情報を容易に見つけることができる。
【００５６】
図８の説明に戻る。Ｓ１４０では、判断部３２０が、アドレス帳４５０に未登録の発信先情報をユーザーが操作部１２０の入力によって選択したか否かを判断する（Ｓ１４０）。
【００５７】
Ｓ１４０において、アドレス帳４５０に未登録の発信先情報がユーザーによって選択された場合は、発信先情報登録処理部３５０が、通知データ４６０に記憶されたデータを読み出して、選択された発信先情報をアドレス帳４５０へ登録するか否かの確認通知を表示部１１０に表示する（Ｓ１５０）。
【００５８】
次に、判断部３２０が、ユーザーの操作部１２０への入力が未登録の発信先情報を登録するための操作であるか否かを判断する（Ｓ１６０）。
【００５９】
判断部３２０が、ユーザーの操作部１２０への入力が未登録の発信先情報を登録するための入力であったと判断した場合は、発信先情報登録処理部３５０は、未登録の発信先情報をアドレス帳４５０に登録する（Ｓ１７０）。
【００６０】
判断部３２０が、ユーザーの操作部１２０への入力が未登録の発信先情報を登録するための入力でなかったと判断した場合は、Ｓ１３０のメール本文表示処理に戻る。
【００６１】
次に、発信先情報登録処理２について、図１０を用いて説明する。まず、発信先情報登録処理２の概要について説明する。発信先情報登録処理２では、メールフォルダからユーザーが選択したメールについて、メール本文を表示する際に、メール本文に発信先情報が含まれていた場合は、アドレス帳４５０に未登録の発信先情報と、既に登録されている発
信先情報をそれぞれ異なる表示態様にて表示する。そして、アドレス帳４５０に未登録の発信先情報がユーザーによって選択されたときは、アドレス帳４５０に未登録の発信先情報を登録するか否かの確認を通知する処理を行う。以下に、発信先情報登録処理２の詳細な流れについて説明する。
【００６２】
発信先情報登録処理２では、まず、判断部３２０が、ユーザーが操作部１２０よりメールフォルダを開く操作を行ったか否かを判断する（Ｓ３００）。ユーザーからの操作が、メールフォルダを開く操作であった場合はＳ３１０の処理へ進む。それ以外の操作であった場合はメールフォルダを開く操作が行われるまで待機する。
【００６３】
次に、判断部３２０は、ユーザーが操作部１２０によりメールを選択する操作を行ったか否かを判断する（Ｓ３２０）。ユーザーからの操作がメールを選択する操作であった場合はＳ３３０の処理へ進む。それ以外の操作であった場合はメールを選択する操作が行われるまで待機する。
【００６４】
次に、メール本文表示処理部３４０が、Ｓ３２０でユーザーが操作部１２０の入力によって選択したメールの本文を表示部１１０に表示する（Ｓ３３０）。
【００６５】
次に、判断部３２０が、アドレス帳４５０に未登録の発信先情報をユーザーが操作部１２０の入力によって選択したか否かを判断する（Ｓ３４０）。
【００６６】
Ｓ３４０において、アドレス帳４５０に未登録の発信先情報がユーザーによって選択された場合は、発信先情報登録処理部３５０が、通知データ４６０に記憶されたデータを読み出して、選択された発信先情報をアドレス帳４５０へ登録するか否かの確認通知をおこなう（Ｓ３５０）。確認通知の一例を図７に示す。
【００６７】
次に、判断部３２０が、ユーザーの操作部１２０への入力が未登録の発信先情報を登録するための操作であるか否かを判断する（Ｓ３６０）。もし判断部３２０が、ユーザーの操作部１２０への入力が未登録の発信先情報を登録するための入力であったと判断した場合は、発信先情報登録処理部３５０は、未登録の発信先情報をアドレス帳４５０に登録する（Ｓ３７０）。もし判断部３２０が、ユーザーの操作部１２０への入力が未登録の発信先情報を登録するための入力でなかったと判断した場合は、Ｓ３３０の処理に戻る。
〔変形例〕
なお、本発明の実施例に係る携帯電話機１００は、ストレート型の携帯電話機としたが、折り畳み型やスライド型の携帯電話機であってもよい。
【００６８】
なお、本発明は携帯電話機に限らず通信装置に適用することとしてもよい。
【００６９】
なお、メモリマップ４００に記憶された情報は、ＲＯＭ１８０に記憶されるとしたが、外部メモリ２１０に記憶されていてもよい。その場合、外部メモリ２１０に保存された情報はＩ／Ｆ２００を介して制御部１７０からの指示により読み出される。
【００７０】
なお、プログラム記憶領域４１０に記憶されたプログラム、及び、データ記憶領域４６０に記憶するデータは図４に記載したプログラムやデータに限定せず携帯電話機１００が備える機能を実行するために必要なプログラムやデータも含まれる。
【００７１】
なお、検索部３１０は、発信先情報登録処理１において、未登録の発信先情報、及び、アドレス帳４５０に登録された氏名と同じ文字列を含む受信メールのみを検索の対象としてもよい。その場合、ユーザーにとって重要度が低いと考えられる未登録発信先情報を含むメールマガジンや迷惑メールなどを検索対象から除外することができるため、ユーザー
にとって重要度が高い未登録発信先情報を含むメールを高精度に検索することができる。
【００７２】
なお、発信先情報登録処理１及び２において、ユーザーによって選択された発信先情報が、既にアドレス帳４５０に登録されたメールアドレスであった場合は、選択したメールアドレスを送信先としたメールを作成する処理を実行することとしてもよい。
【００７３】
なお、ユーザーによって選択された発信先情報が、既にアドレス帳４５０に登録された電話番号であった場合は、選択した電話番号を電話発信先として電話発信を行う処理を実行することとしてもよい。
【００７４】
なお、Ｓ３００の処理において判断部３２０がユーザーの操作部１２０への入力がメールフォルダを開く入力であったと判断した場合、Ｓ３１０の処理を実行することとしてもよい。
【００７５】
なお、Ｓ１５０及び、Ｓ３５０で行う登録確認通知は、ユーザーの任意により通知を行わないよう設定変更できることとしてもよい。さらに、登録確認通知は、ユーザーが指定したメールフォルダや受信情報にのみ行うこととしてもよい。
【００７６】
なお、本発明は、例えば、インターネットなどを利用して取得した受信情報に適用することとしてもよい。具体的には、ユーザーはインターネットブラウザでＨＰなどを閲覧する際に、ＨＰに含まれる個人、地域、店などの発信先情報が、アドレス帳に登録済み、または、未登録の発信先情報であるか否かを判断する。そして、判断結果に応じて、アドレス帳に未登録、及び登録済みの発信先情報をブラウザに表示された文章とは異なる表示態様にて表示する。さらにユーザーの任意の設定で、アドレス帳へ未登録の発信先情報がブラウザに表示された受信情報に含まれることを通知して、アドレス帳へ登録することを促すこととしてもよい。このような場合、ユーザーは、インターネットのブラウザに表示された受信情報の中から容易に発信先情報を発見して、アドレス帳やメモリなどへ記憶する操作を容易に行うことができるようになる。
【符号の説明】
【００７７】
１００  携帯電話機
１１０  表示部
１２０  操作部
１３０  発光部
１４０  スピーカ
１４５  Ｄ／Ａコンバータ
１５０  マイク
１５５  Ａ／Ｄコンバータ
１６０  振動部
１７０  制御部
１８０  ＲＯＭ
１９０  ＲＡＭ
２００  Ｉ／Ｆ
２１０  外部メモリ
２２０  撮影部
２３０  近距離通信部
２４０  無線回路
２５０  アンテナ
３１０  検索部
３２０  判断部
３３０  計数部
３４０  メール本文表示処理部
３５０  発信先情報登録処理部
４００  メモリマップ
４１０  プログラム記憶領域
４２０  発信先情報登録プログラム
４３０  メール本文表示処理部
４４０  データ記憶領域
４５０  アドレス帳
４６０  通知データ
【図１】
2011250134.tif 000003
【図２】
2011250134.tif 000004
【図３】
2011250134.tif 000005
【図４】
2011250134.tif 000006
【図８】
2011250134.tif 000007
【図９】
2011250134.tif 000008
【図１０】
2011250134.tif 000009
【図５】
2011250134.tif 000010
【図６】
2011250134.tif 000011
【図７】
2011250134.tif 000012